(57)【要約】【課題】同一方向への連続した移動入力を容易にする。【解決手段】ポインティング装置のリセット後、初回に得られた前記移動量の水平方向成分（ｘ軸成分）と垂直方向成分（ｙ軸成分）を比較し、ｘ軸成分の絶対値がｙ軸成分の絶対値より大きい場合は水平方向のみの移動入力があったものとみなし、ｙ軸成分の絶対値がｘ軸成分の絶対値より大きい場合は垂直方向のみの移動入力があったものとみなし、以後、移動入力の成分の比が大きく変わらない限り、同一方向への移動入力があったものとする。【選択図】　図２
2004078720.tif 000002
【特許請求の範囲】
【請求項１】
水平方向および垂直方向の角速度を検出する手段と検出した角速度情報を送信する手段を備えたポインティング装置と、該ポインティング装置から送信された角速度情報を受信する受信手段を有しスクリーン上に表示されたカーソル、ポイント等の画像を受信した角速度情報をサンプリングして得られた移動量に従って移動させる機能を備えた表示装置とで構成されたプレゼンテーション用表示装置において、
ポインティング装置のリセット後、初回に得られた前記移動量の水平方向成分（ｘ軸成分）と垂直方向成分（ｙ軸成分）を比較し、ｘ軸成分の絶対値がｙ軸成分の絶対値より大きい場合は水平方向のみの移動入力があったものと判別するとともに、ｙ軸成分の絶対値がｘ軸成分の絶対値より大きい場合は垂直方向のみの移動入力があったものと判別する手段と、
水平方向のみの移動入力があった後、次回以降に入力された移動量の座標がｘ軸を挟んだ直線ｙ＝ａｘとｙ＝−ａｘ（但し、ａ＞１）とに囲まれる引き込み領域にあれば引き続き水平方向のみの移動入力があったものと判別するとともに、前記領域を外れたら垂直方向のみの移動入力があったものと判別する手段と、
垂直方向のみの移動入力があった後、次回以降に入力された移動量の座標がｙ軸を挟んだ直線ｙ＝ｘ／ａとｙ＝−ｘ／ａとに囲まれる引き込み領域にあれば引き続き垂直方向のみの移動入力があったものと判別するとともに、前記領域を外れたら水平方向のみの移動入力があったものと判別する手段を備えたことを特徴とするプレゼンテーション用表示装置。
【請求項２】
請求項１記載のプレゼンテーション用表示装置において、水平方向または垂直方向のみの移動入力がある間に移動量の算出値を監視する手段を有し、移動量の水平方向成分または垂直方向成分に一定幅の増加または減少があった場合に直線の傾きａを変更する手段を備えたことを特徴とするプレゼンテーション用表示装置。
【請求項３】
請求項１記載のプレゼンテーション用表示装置において、水平方向のみの移動入力がある間に移動量の算出値を監視し、移動量の水平方向成分の絶対値に一定幅の減少がありかつ垂直方向成分がある場合に、垂直方向のみの移動入力があったものと判別する手段と、
垂直方向のみの移動入力がある間に移動量の算出値を監視し、移動量の垂直方向成分の絶対値に一定幅の減少がありかつ水平方向成分がある場合に、水平方向のみの移動入力があったものと判別する手段を備えたことを特徴とするプレゼンテーション用表示装置。
【発明の詳細な説明】
【０００１】
【発明の属する技術分野】
本発明は、ジャイロセンサーを用いたポインティング装置と、液晶プロジェクタ等の投影型画像表示装置を用いたプレゼンテーション用表示装置に関する。
【０００２】
【従来の技術】
近年、液晶プロジェクタ等の投影型画像表示装置を用いてコンピュータや動画による画像を表示し、ポインティング装置を用いて効果的なプレゼンテーションを行うケースが増加しているが、このポインティング装置にジャイロセンサーを利用した装置が提案されている。該ジャイロセンサーを利用したポインティング装置は、本体を特定方向に移動させ、一定時間毎に移動前後の相対位置の情報をサンプリングし、その相対位置情報を表示装置に送信する。表示装置は、受信した相対位置情報を基にして、画面上のメインメニューにあるメニュー項目の選択位置を移動したり、カーソルやポイントを移動させたり、パンニングしたり、ピクチャインピクチャの移動をしたりしている。
【０００３】
【発明が解決しようとする課題】
しかしながら、これら従来技術のジャイロセンサーを用いたポインティング装置では、ジャイロセンサーを用いたポインティング装置本体が傾けられることで、その傾きに応じた方向の直線移動として検出されるため、表示画面上でｘ方向、またはｙ方向に連続して直進させる操作が難しく、どうしても他の方向の成分が混じり、直線のはずの移動が曲がってしまうという欠点があった。
【０００４】
又、ＸＹの総移動量が所定値に早く到達した方を移動方向と決定し、方向決定時点でリセットを掛け、それを繰り返す方法を用いることにより、該所定値になるまで方向が決定されないため方向決定に時間が掛かるという問題もあった。
【０００５】
【課題を解決するための手段】
そこで上記課題を解決するために、本願発明は、水平方向および垂直方向の角速度を検出する手段と、検出した角速度情報を送信する手段を備えたポインティング装置と、該ポインティング装置から送信された角速度情報を受信する受信手段を有しスクリーン上に表示されたカーソル、ポイント等の画像を受信した角速度情報をサンプリングして得られた移動量に従って移動させる機能を備えた画像表示装置とで構成されたプレゼンテーション用表示装置において、ポインティング装置のリセット後、初回に得られた前記移動量の水平方向成分（ｘ軸成分）と垂直方向成分（ｙ軸成分）を比較し、ｘ軸成分の絶対値がｙ軸成分の絶対値より大きい場合は水平方向のみの移動入力があったものと判別するとともに、ｙ軸成分の絶対値がｘ軸成分の絶対値より大きい場合は垂直方向のみの移動入力があったものと判別する手段と、水平方向のみの移動入力があった後、次回以降に入力された移動量の座標がｘ軸を挟んだ直線ｙ＝ａｘとｙ＝−ａｘ（但し、ａ＞１）とに囲まれる引き込み領域にあれば引き続き水平方向のみの移動入力があったものと判別するとともに、前記領域を外れたら垂直方向のみの移動入力があったものと判別する手段と、垂直方向のみの移動入力があった後、次回以降に入力された移動量の座標がｙ軸を挟んだ直線ｙ＝ｘ／ａとｙ＝−ｘ／ａとに囲まれる引き込み領域にあれば引き続き垂直方向のみの移動入力があったものと判別するとともに、前記領域を外れたら水平方向のみの移動入力があったものと判別する手段とを備えたことを特徴とする。
【０００６】
更に、本願発明は上記装置において、水平方向または垂直方向のみの移動入力がある間に移動量の算出値を監視する手段を有し、移動量の水平方向成分または垂直方向成分に一定幅の増加または減少があった場合に直線の傾きａを変更する手段を備えたことを特徴とする。
【０００７】
また、本願発明は、上記装置において、水平方向のみの移動入力がある間に移動量の算出値を監視し、移動量の水平方向成分の絶対値に一定幅の減少がありかつ垂直方向成分にある場合に、垂直方向のみの移動入力があったものと判別する手段と、垂直方向のみの移動入力がある間に移動量の算出値を監視し、移動量の垂直方向成分の絶対値に一定幅の減少がありかつ水平方向成分がある場合に、水平方向のみの移動入力があったものと判別する手段とを備えたことを特徴とする。
【０００８】
【発明の実施の形態】
以下、図に沿って本発明の実施形態を説明する。
【０００９】
図１は本発明に係るプレゼンテーション用表示装置の構成を示すブロック図である。図において、１はスクリーンである。２０はポインティング装置であり、リセットボタン等のボタン群２１、角速度検出手段２２、データ送信手段２３、ポインティング装置システムマイコン２４により構成される。３０は画像表示装置であり、データ受信手段３１、表示手段３２、画像表示装置システムマイコン３３により構成される。
【００１０】
ここで、角速度検出手段２２はジャイロなどの各速度センサーが内蔵されており、３次元の情報を水平方向および垂直方向の２次元の情報に変換し、移動した前後の相対的な位置情報を一定時間毎に読み取り（サンプリング）し、その移動前後の相対位置を検出する。
【００１１】
ポインティング装置システムマイコン２４はポインティグ装置２０全体を制御し、検出された相対位置情報を判別し、データ送信手段２３からデータ受信手段３１へワイヤレスにより送信される。これらにより、プレゼンテーション用表示装置が構成され、画像表示装置３０から図示しないコンピュータ画像がスクリーン１に投影され、その画像について、ポインティング装置２０を用いて各種の表示や操作が行われる。
【００１２】
図２は本発明を説明するためのグラフである。上述した各発明の実施形態では、画面上の移動が水平方向か垂直方向のいずれか一方であることが多いため、ポインティング装置２０を操作する場合に、水平方向か垂直方向のいずれかの方向にのみ振る操作を連続して実行する必要があった。そこで、本発明では、ポインティング装置２０をそのリセットボタン２１を押下してリセットした後に、初回に入力された相対位置情報から得られる移動量の水平方向成分（ｘ軸成分）の絶対値と垂直方向成分（ｙ軸成分）の絶対値を比較し、ｘ軸成分の絶対値がｙ軸成分の絶対値より大きい場合は水平方向のみの移動入力があったものとみなし、ｙ軸成分の絶対値がｘ軸成分の絶対値より大きい場合は垂直方向のみの移動入力があったものとみなす。すなわち、得られた移動量を図２（イ）のグラフにプロットし、移動量の座標がｘ軸を挟んだ直線ｙ＝ｘとｙ＝−ｘとに囲まれる引き込み領域（Ａ，Ｈ，Ｄ，Ｅの領域）にあれば水平方向のみの移動入力があって、垂直方向の入力は無かったものとみなす。また、前記引き込み領域を外れた領域（Ｂ，Ｃ，Ｆ，Ｇ領域）の場合は、垂直方向のみの移動入力があって、水平方向の入力は無かったものとみなす。
【００１３】
ここで更に、次に得られた移動量に着目する。すなわち、水平方向のみの移動入力があった後、次回以降に入力された移動量の座標がｘ軸を挟んだ直線ｙ＝ａｘとｙ＝−ａｘ（但し、ａ＞１）とに囲まれる引き込み領域（図２（ロ）の斜線領域）にあれば引き続き水平方向のみの移動入力があったものとし、前記領域を外れたら垂直方向のみの移動入力に変更されたものとみなす。
【００１４】
同様に、垂直方向のみの移動入力があった後、次回以降に入力された移動量の座標がｙ軸を挟んだ直線ｙ＝ｘ／ａとｙ＝−ｘ／ａとに囲まれる引き込み領域（図２（ハ）の斜線領域）にあれば引き続き垂直方向のみの移動入力があったものとし、前記領域を外れたら水平方向のみの移動入力に変更されたものとみなす。
【００１５】
この場合は、最初に相対位置情報が検出され移動量が得られると、その移動量の成分の比較から垂直・水平のいずれか一方だけの方向とみなし、以後、他の方向の成分が多少勝っても以前の方向のみの連続した移動と見なすようにしたことで、ポインティング装置２０を操作するとき、最初に振る方向に注意するだけで、後は多少方向が変わっても垂直・水平のいずれか一方向の移動を連続して入力することが可能となり、操作性が向上する。
【００１６】
尚、引き込み領域を変換する場合、例えば水平方向の引き込み領域から垂直方向の引き込み領域へ変換する際に、水平方向の移動速度が減少し、且つ、垂直方向への成分が検出された場合には、即座にその引き込み領域を変換するのが望ましい。
【００１７】
すなわち、水平方向のみの移動入力がある間に移動量の算出値を監視し、移動量の水平方向成分に一定幅の減少がありかつ垂直方向成分がある場合に、垂直方向のみの移動入力があったものとする。同様に、垂直方向のみの移動入力がある間に移動量の算出値を監視し、移動量の垂直方向成分に一定幅の減少がありかつ水平方向成分がある場合に、水平方向のみの移動入力があったものとする。具体的には、ポインティング装置２０の操作によりｘ軸またはｙ軸への同一方向の移動入力されている間に、移動を他の方向へ変更しようとしてポインティング装置の移動を緩めて方向転換を図ろうとすると、直ちに他の方向の移動に切り換えられる。
また、本発明は換言すると、水平方向または垂直方向のみの移動入力がある間に移動量の算出値を監視し、移動量の水平方向成分または垂直方向成分に一定幅の増加または減少があった場合に直線の傾きａを変更することにより、引き込み領域を変換することでもある。
【００１８】
【発明の効果】
以上述べたように本発明によれば、ポインティング装置のリセット後、初回に得られた移動量の水平方向成分（ｘ軸成分）と垂直方向成分（ｙ軸成分）を比較し、ｘ軸成分の絶対値がｙ軸成分の絶対値より大きい場合は水平方向のみの移動入力があったものとみなし、ｙ軸成分の絶対値がｘ軸成分の絶対値より大きい場合は垂直方向のみの移動入力があったものとみなし、以後、移動入力の成分の比が大きく変わらない限り、同一方向への移動入力があったものとすることで、同一方向への移動入力が容易となり、使い勝手が向上する。
【００１９】
また、ポインティング装置の操作によりｘ軸またはｙ軸への同一方向の移動が入力されている間に、移動を他の方向へ変更しようとしてポインティング装置の移動を緩めて方向転換を図ろうとすると、直ちに他の方向の移動に切り換えられ、使い勝手が向上する。
【図面の簡単な説明】
【図１】本発明の構成を示すブロック図である。
【図２】本発明を説明するためのグラフである。
【符号の説明】
１　スクリーン
２０　ポインティング装置
２１　ボタン群
２２　角速度検出手段
２３　データ送信手段
２４　ポインティング装置システムマイコン
３０　画像表示装置
３１　データ受信手段
３２　表示手段
３３　画像表示装置システムマイコン
【図１】
2004078720.tif 000003
【図２】
2004078720.tif 000004